(57)【要約】【課題】  びんの口部の雄ねじと目印の位置関係の狂いがきわめて少なく、キャップの締め具合を正確に確認できるキャップ付びんを開発する。【解決手段】  びんの目印を、粗型でパリソン成形時に形成した突起を仕上型での仕上げ成形でびん外周面から突出しないように潰して形成したものとする。目印の元となる突起をパリソンに形成するので、パリソンを仕上型に移す際にパリソンが回転しても、目印と雄ねじの位置関係にずれが生じるおそれがなく、キャップの締め具合を正確に確認することが可能となる。【選択図】      図２
2005178794.tif 000002
【特許請求の範囲】
【請求項１】
口部外周面に雄ねじを有し、該雄ねじ下方にキャップの締め具合を確認する目印を有するびんと、周壁の内周面に前記雄ねじと螺合する雌ねじが形成され、周壁の外周面に前記目印と対応するマークを備えたキャップ付きびんであって、前記目印が、粗型でパリソン成形時に形成した突起を仕上型での仕上げ成形でびん外周面から突出しないように潰して形成したものであることを特徴とするキャップ付びん
【請求項２】
口部外周面に雄ねじを有し、該雄ねじ下方にキャップの締め具合を確認する目印を有するびんの製造方法であって、粗型で目印に対応する突起を有するパリソンを成形する工程と、前記突起に対応する成形面が平滑になっている仕上型で仕上げ成形し、前記突起をびん外周面から突出しないように潰して目印を形成する工程とを有することを特徴とするびんの製造方法
【発明の詳細な説明】
【技術分野】
【０００１】
本発明は、口部外周面に雄ねじを有し、該雄ねじ下方にキャップの締め具合を確認する目印を有するびんと、周壁の内周面に前記雄ねじと螺合する雌ねじが形成され、周壁の外周面に前記目印と対応するマークを備えたキャップ付きびん、及びこのびんの製造方法に関する。
【背景技術】
【０００２】
この種のキャップ付びんにおいて、びん、キャップに目印、マークを形成しておき、キャップを締め付けたときの目印とマークの位置関係でキャップの締め具合を確認できるようにしている（特許文献１）。びんの目印として一般的なのは外面に形成した小さな突起で、このような突起は仕上型の当該成形面に設けた凹部によって形成されていた。
【特許文献１】特開２００２−１０４４７６号公報
【発明の開示】
【発明が解決しようとする課題】
【０００３】
図１はガラスびんの成形工程（ブローアンドブロー方式）の説明図である。図１（ａ）〜（ｃ）では、粗型１１を用いて溶融ガラスの塊（ゴブ）Ｇから半製品としてのパリソンＰを製造する。図１（ａ）では、粗型１１内にゴブＧが投入され、図１（ｂ）ではバッフル１７を通じて上から圧搾空気で加圧され（セトルブロー）、粗型１１の下にある口型１３にガラスが入って口部が作られる。このときプランジャ１６は所定の位置にセットされている。図１（ｃ）では、プランジャ１６が下降し、空洞部に空気を吹き込み（カウンタブロー）、粗型１１と上部のバッフル１７でパリソンＰが成形される。図１（ｄ）では、パリソンＰを反転装置（メカニズム）１８を用いて仕上型１２に移す。この場合、粗型１１を２つ割りの状態に開いてパリソンＰを仕上型１２の上に反転させ、メカニズム１８の先端に支持された口型１３を２つ割りの状態に開いて、口型１３とガイドリング１４とに保持されたパリソンＰを仕上型１２内に落とし込む。図１（ｅ）〜（ｆ）ではこの仕上型１２内で最終製品としてのガラスびんＢを成形し（最終吹き込み）、図１（ｇ）ではこの仕上型１２からガラスびんＢを取り出す。
【０００４】
びん口部の雄ねじはパリソン成形時に口型で成形され、びん外周の目印は仕上型で成形される。図１（ｄ）の工程において、口型１３を２つ割りの状態に開いてパリソンＰを仕上型１２内に落とし込む際にパリソンが回転することがあり、口部の雄ねじと目印の位置関係が狂う可能性がある。この位置関係の狂いは８ｍｍほどになることもあり、キャップの締め具合の確認に支障をきたすことが少なくなかった。
【０００５】
本発明は、びんの口部の雄ねじと目印の位置関係の狂いがきわめて少なく、キャップの締め具合を正確に確認できるキャップ付びんを開発することを課題としてなされたものである。
【課題を解決するための手段】
【０００６】
本発明は、口部外周面に雄ねじを有し、該雄ねじ下方にキャップの締め具合を確認する目印を有するびんと、周壁の内周面に前記雄ねじと螺合する雌ねじが形成され、周壁の外周面に前記目印と対応するマークを備えたキャップ付きびんであって、前記目印が、粗型でパリソン成形時に形成した突起を仕上型での仕上げ成形でびん外周面から突出しないように潰して形成したものであることを特徴とするキャップ付びんである。
【０００７】
また本発明は、口部外周面に雄ねじを有し、該雄ねじ下方にキャップの締め具合を確認する目印を有するびんの製造方法であって、粗型で目印に対応する突起を有するパリソンを成形する工程と、前記突起に対応する成形面が平滑になっている仕上型で仕上げ成形し、前記突起をびん外周面から突出しないように潰して目印を形成する工程とを有することを特徴とするびんの製造方法である。
【発明の効果】
【０００８】
本発明の目印は、粗型でパリソン成形時に形成した突起を仕上型での仕上げ成形で平滑に潰して形成するので、びんの外周面から突出していないものの、突起を平滑に潰すことによってその周囲部分に筋目模様が生じ、目印として視認することができる。突起は粗型によってパリソンに形成されるので、口部の雄ねじと位置関係のずれが生じるおそれがなく、キャップの締め具合を正確に確認することが可能となる。
【発明を実施するための最良の形態】
【０００９】
目印は、びんにキャップを締めたときキャップ下端の直ぐ下の位置に形成することが望ましい。目印の形状（パリソンの突起の正面形状）は円形、三角形など自由な形状とすることができる。パリソンの突起の突出量は０．１〜１ｍｍ程度が好適である。
【実施例】
【００１０】
本発明は、ブローアンドブロー方式とプレスアンドブロー方式の双方のガラスびん製造方式に適用できる。プレスアンドブロー方式は、図１の（ｂ）（ｃ）のパリソン成形工程が異なる（パリソン成形を吹製ではなくプランジャの上昇で行う）だけで、その他の工程はブローアンドブロー方式と同じである。
【００１１】
図２はプレスアンドブロー方式によってパリソンを成形する場合の例を示す断面図である。粗型１１内にゴブが投入された後、バッフル１７で上部を閉塞し、プランジャ１６が上昇してパリソンＰを成形する。パリソンＰの口部外周は口型によって、胴部外周は粗型によって成形される。粗型１１は１個の凹部２を有し、これによってパリソンＰの外周面に突起１が形成される。口型と粗型との位置関係は正確に規定されているので、雄ねじ３と突起１の位置関係にずれが生じることがない。なお、図２の符号１４は、パリソンの口部天面を成形すると共に口型が２つ割りに分離又は合体する際のガイドとなるガイドリングである。
【００１２】
この後パリソンＰはメカニズムで反転され、仕上型内に落とし込まれ、最終成形が行われる（図１（ｄ）〜（ｆ））。仕上型は通常の仕上型でよく、パリソンの突起に対応する特別の構成は存在せず、単にびんの外周を成形する普通の形状であればよい。したがって、最終成形によりパリソンの突起は押し潰されてびんの外周面から突出しないで平滑になるが、突起の周囲部分に筋目模様ができ、目印４として視認することができるようになる。仕上型１２内に落とし込む際にパリソンが回転しても、雄ねじと目印の位置関係に全く影響が生じない。
【００１３】
図３は上記により製造したびんＢと、キャップ５の正面図である。キャップ５には締め付け具合を確認するマーク６が周壁外周面に形成されている。マークは突起、凹み、模様など自由で、位置を視認できる構成であればよい。周壁内周面にはびんの雄ねじ３と螺合する雌ねじが設けられている（図示せず）。びんＢの胴部外周には、適正にキャップを締め付けたときにマーク６の直下に位置するように目印４が形成されている。目印４はびんＢの外周面から突出するものではなく、平滑であるが、パリソンＰの突起１の周囲部分が筋目模様として残っているので、視認可能な目印４として機能する。
【００１４】
図４はブローアンドブロー方式によってパリソンを成形する場合の例を示す断面図である。粗型１１内にゴブが投入された後、バッフル１７で上部を閉塞し、セトルブローの後カウンタブローによってパリソンＰを成形する。パリソンＰの口部外周は口型によって、胴部外周は粗型によって成形される。粗型１１は１個の凹部２を有し、これによってパリソンＰの外周面に突起１が形成される。口型と粗型との位置関係は正確に規定されているので、雄ねじ３と突起１の位置関係にずれが生じることがない。
【００１５】
その後、前記プレスアンドブロー方式の場合と同様に、通常の仕上型によって最終成形が行われる。これによりパリソンの突起１は押し潰されて平らになるが、パリソンＰの突起１の周囲部分が筋目模様として残っているので、視認可能な目印となる。
【図面の簡単な説明】
【００１６】
【図１】ブローアンドブロー方式によるガラスびん製造工程の説明図である。
【図２】プレスアンドブロー方式によるパリソン成形の断面説明図である。
【図３】実施例のガラスびんとキャップの正面説明図である。
【図４】ブローアンドブロー方式によるパリソン成形の断面説明図である。
【符号の説明】
【００１７】
１  突起
２  凹部
３  雄ねじ
４  目印
５  キャップ
６  マーク
１１  粗型
１２  仕上型
１３  口型
１４  ガイドリング
１５  底型
１６  プランジャ
１７  バッフル
１８  メカニズム
【図１】
2005178794.tif 000003
【図２】
2005178794.tif 000004
【図３】
2005178794.tif 000005
【図４】
2005178794.tif 000006